(57)【要約】      （修正有）【課題】候補名ごとに得票数を短時間で集計することが可能であるとともに、特定の候補への意思表示を示した投票を自由に手書き入力して投票を行うことが可能な自書式電子投票システムを提供する。【解決手段】自書式電子投票システム１は、自書式電子投票装置２に手書き入力された文字の画像データから文字列データが生成され、照合部２０３により文字列データに候補者名と一致する部分があると判定される場合には、手書き文字の画像データとそれに対応した候補者名データが電子集計装置３に送信され、コード照合部３０４によりこれらのデータが一致しているか否かで候補者名の疑問票あるいは仮の得票と認識され、集計部３０１により仮の得票数から疑問票数が減算された候補者名ごとの得票数が集計され、印刷部３５により用紙に手書き文字の画像、それに対応した候補者名およびそれに対応したバーコードが印刷される。【選択図】図１
2006235974.tif 000002
【特許請求の範囲】
【請求項１】
手書きにより文字の入力を受け付ける入力手段と、手書きにより入力された該文字を画像データに変換する変換手段と、該画像データから文字を認識して文字列データを生成する認識手段と、単数あるいは複数の候補名を記憶する候補名記憶手段と、該候補名記憶手段に記憶された該候補名ごとに、前記文字列データと照合を行い、該文字列データに候補名と一致する部分がある場合には、その一致する部分がある該候補名を抽出する照合手段と、該照合手段により抽出された当該候補名に対応したコードに変換するコード化手段と、前記画像データ、該画像データに対応した候補名および該候補名に対応したコードを用紙に記録する記録手段と、を有して成ることを特徴とする自書式電子投票システム。
【請求項２】
前記記録手段は、前記コードをバーコードあるいは２次元コードとして用紙に印刷することを特徴とする請求項１に記載の自書式電子投票システム。
【請求項３】
前記記録手段は、前記コードを用紙に組み込まれたＩＣタグに保存することを特徴とする請求項１に記載の自書式電子投票システム。
【請求項４】
前記照合手段により抽出された前記候補名と該候補名に対応したコードのデータを記憶する集計用記憶手段と、前記用紙に記録された前記コードを取り込んで、前記コードのデータに対応した候補名を抽出するコード照合手段と、所定の開始指示命令の入力を受け付ける操作手段と、
仮の得票数の集計を開始させる開始指示命令が前記操作手段に受け付けられた際に、前記コード照合手段により候補名が抽出される度に、該候補名の仮の得票のカウント数を増加させて前記候補名ごとの仮の得票数の集計を行う仮得票数集計手段と、
疑問票数の集計を開始させる開始指示命令が前記操作手段に受け付けられた際に、前記コード照合手段により候補名が抽出される度に、該候補名の疑問票のカウント数を増加させて前記候補名ごとの疑問票数の集計を行う疑問票数集計手段と、
該疑問票数集計手段による前記候補名ごとの疑問票数の集計が完了した際に、前記候補名ごとに、前記仮の得票数の集計結果から前記疑問票数の集計結果を減算して、該候補名ごとの得票数を集計する得票数集計手段と、を有して成ることを特徴とする請求項１から請求項３のいずれかに記載の自書式電子投票システム。
【請求項５】
有効票数の集計を開始させる開始指示命令が前記操作手段に受け付けられた際に、前記コード照合手段により候補名が抽出される度に、該候補名の有効票のカウント数を増加させて前記候補名ごとの有効票数の集計を行う有効票数集計手段を有し、
前記得票数集計手段は、該有効票数集計手段による前記候補名ごとの有効票数の集計が完了した際に、前記候補名ごとに、前記仮の得票数の集計結果から前記疑問票数の集計結果を減算し、前記有効票数の集計結果を加算して、該候補名ごとの得票数を集計することを特徴とする請求項４に記載の自書式電子投票システム。
【請求項６】
手書きにより文字の入力を受け付ける入力手段と、手書きにより入力された該文字を画像データに変換する変換手段と、該画像データから文字を認識して文字列データを生成する認識手段と、単数あるいは複数の候補名を記憶する候補名記憶手段と、該候補名記憶手段に記憶された該候補名ごとに、前記文字列データと照合を行い、前記文字列データに候補名と一致する部分がある場合には、その一致する部分がある該候補名を抽出する照合手段と、前記画像データおよび該画像データに対応した候補名が入力される度に、該候補名の仮の得票のカウント数を増加させて前記候補名ごとの仮の得票数の集計を行う仮得票数集計手段と、前記画像データと該画像データに対応した候補名を照合し、一致していなければ疑問票と判定する疑問票判定手段と、該疑問票判定手段により前記画像データと該画像データに対応した候補名が疑問票と判定される度に、該候補名の疑問票のカウント数を増加させて前記候補名ごとの疑問票数の集計を行う疑問票数集計手段と、所定の開始指示命令の入力を受け付ける操作手段と、前記疑問票数が減算された得票数の集計を開始させる開始指示命令が前記操作手段に受け付けられた際に、前記候補名ごとに、前記仮の得票数の集計結果から前記疑問票数の集計結果を減算して、該候補名ごとの得票数を集計する得票数集計手段と、を有して成ることを特徴とする自書式電子投票システム。
【請求項７】
前記照合手段により抽出された前記候補名に対応したコードに変換するコード化手段と、前記疑問票判定手段により疑問票と判定された前記画像データ、該画像データに対応した候補名および該候補名に対応したコードを用紙に記録する記録手段と、を有して成ることを特徴とする請求項６に記載の自書式電子投票システム。
【請求項８】
前記照合手段により抽出された前記候補名と該候補名に対応したコードのデータを記憶する集計用記憶手段と、前記用紙に印刷された前記コードを取り込んで、前記コードのデータに対応した候補名を抽出するコード照合手段と、
有効票数の集計を開始させる開始指示命令が前記操作手段に受け付けられた際に、前記コード照合手段により候補名が抽出される度に、該候補名の有効票のカウント数を増加させて前記候補名ごとの有効票数の集計を行う有効票数集計手段と、を有し、
前記得票数集計手段は、前記疑問票数が減算および前記有効票数が加算された得票数の集計を開始させる開始指示命令が前記操作手段に受け付けられた際に、前記候補名ごとに、前記仮の得票数の集計結果から前記疑問票数の集計結果を減算し、前記有効票数の集計結果を加算して、該候補名ごとの得票数を集計することを特徴とする請求項７に記載の自書式電子投票システム。
【請求項９】
前記記録手段は、前記コードをバーコードあるいは２次元コードとして用紙に印刷することを特徴とする請求項７または請求項８に記載の自書式電子投票システム。
【請求項１０】
前記記録手段は、前記コードを用紙に組み込まれたＩＣタグに保存することを特徴とする請求項７または請求項８に記載の自書式電子投票システム。
【発明の詳細な説明】
【技術分野】
【０００１】
本発明は、選挙や住民投票等で使用される自書式電子投票システムに関するものであり、その集計技術に関するものである。
【背景技術】
【０００２】
従来より、選挙における投票制は、投票者が投票所で手渡された規定の投票用紙に候補者名あるいは政党名等を自書して投票箱に投函する自書式投票制が主に採用されている。その開票作業は、手作業で行われることが殆どであるため多くの費用と時間を要してしまうという問題等がある。現在、このような問題を解決するために、従来の自書式投票制を継承した自書式電子投票システムの開発が進められている。
【０００３】
例えば、タッチパネル上に候補者の名前あるいは特定候補者への投票を意思表示したと認識される許容範囲内の別名（例えば、「山田五郎」氏に対して「ゴロウ」）が自書されると、それを文字認識し、その自書された自書名前に対応する候補者名が予め記憶された候補者リストから抽出されて自書名前と候補者名を並列表示し、自書名前と候補者名を比較確認した上で投票操作を行うことが可能な自書式電子投票方法が開示・提案されている（例えば、特許文献１を参照）。
【特許文献１】特開２００３−２４２５４６号公報
【発明の開示】
【発明が解決しようとする課題】
【０００４】
確かに、特許文献１に開示された自書式電子投票方法であれば、手書き入力された候補者の名前あるいは特定候補者への投票を意思表示したと認識される許容範囲内の別名（例えば、「山田五郎」氏に対して「ゴロウ」）が、予め記憶された候補者リスト内の候補者名と完全に一致している候補者名があれば、その候補者に投票を行うことができる。また、自書式電子投票機の画面に表示されている表示画面毎にコンピュータおよびプリンタを介してハードコピーとして印刷することができる。
【０００５】
しかしながら、特許文献１に開示された自書式電子投票方法では、手書き入力された自書名前あるいは特定候補者への投票を意思表示したと認識される許容範囲内の別名（例えば、「山田五郎」氏に対して「ゴロウ」）が、予め記憶された候補者リスト内に完全に一致した自書名前あるいは特定候補者の別名が無い場合には、投票を行うことができなかった。
【０００６】
例えば、候補者名が正しくかつ認識可能なように手書きされており、明らかに特定の候補者に投票する意思があるように、「○本△男に投票します」などと手書きで入力された場合には、照合が行えず投票操作に移ることができなかった。その際には、ユーザは、予め記憶された候補者リストの範囲内で再入力を行わなければならず、その操作が煩わしかった。そのため、投票者は、このように候補者への意思表示を示した投票を自由に手書き入力して投票を行うことができなかった。
【０００７】
また、特許文献１に開示された自書式電子投票方法では、自書式電子投票機の画面に表示されている表示画面毎にコンピュータおよびプリンタを介してハードコピーとして印刷して出力することが可能であると記載されているが、用紙に印刷された自書名前および自書名前から認識された候補者名について、それらの確認および再集計に対して何も言及されていなかった。また、その自書式電子投票機の画面に表示されている表示画面毎に用紙に印刷された複数の投票結果が短時間で集計されることが望ましい。
【０００８】
本発明は、上記の問題点に鑑み、投票時に複数の投票者により文字が手書き入力されて行われる自書式電子投票において、候補名ごとに得票数を短時間で集計することが可能であるとともに、特定の候補への意思表示を示した投票を自由に手書き入力して投票を行うことが可能な自書式電子投票システムを提供することを目的とする。
【課題を解決するための手段】
【０００９】
上記目的を達成するために、本発明に係る自書式電子投票システムは、手書きにより文字の入力を受け付ける入力手段と、手書きにより入力された該文字を画像データに変換する変換手段と、該画像データから文字を認識して文字列データを生成する認識手段と、単数あるいは複数の候補名を記憶する候補名記憶手段と、該候補名記憶手段に記憶された該候補名ごとに、前記文字列データと照合を行い、該文字列データに候補名と一致する部分がある場合には、その一致する部分がある該候補名を抽出する照合手段と、該照合手段により抽出された当該候補名に対応したコードに変換するコード化手段と、前記画像データ、該画像データに対応した候補名および該候補名に対応したコードを用紙に記録する記録手段と、を有して成る構成とされている。このような構成とすることにより、用紙に投票された候補名に対応したコードが記録されるため、そのコードを利用して、得票数の集計を短時間で正確に行うことができる。また、投票者は、候補者への意思表示を示した投票を自由に手書き入力して投票を行うことができる。
【００１０】
また、上記構成から成る自書式電子投票システムにおける前記記録手段は、前記コードをバーコードあるいは２次元コードとして用紙に印刷する構成とされている。このような構成とすることにより、バーコードあるいは２次元コードを利用して、得票数の集計をより短時間で正確に行うことができる。
【００１１】
また、上記構成から成る自書式電子投票システムにおける前記記録手段は、前記コードを用紙に組み込まれたＩＣタグに保存する構成とされている。このような構成とすることにより、ＩＣタグに保存されたコードを利用して、得票数の集計をより短時間で正確に行うことができる。
【００１２】
また、上記構成から成る自書式電子投票システムは、前記照合手段により抽出された前記候補名と該候補名に対応したコードのデータを記憶する集計用記憶手段と、前記用紙に記録された前記コードを取り込んで、前記コードのデータに対応した候補名を抽出するコード照合手段と、所定の開始指示命令の入力を受け付ける操作手段と、仮の得票数の集計を開始させる開始指示命令が前記操作手段に受け付けられた際に、前記コード照合手段により候補名が抽出される度に、該候補名の仮の得票のカウント数を増加させて前記候補名ごとの仮の得票数の集計を行う仮得票数集計手段と、疑問票数の集計を開始させる開始指示命令が前記操作手段に受け付けられた際に、前記コード照合手段により候補名が抽出される度に、該候補名の疑問票のカウント数を増加させて前記候補名ごとの疑問票数の集計を行う疑問票数集計手段と、該疑問票数集計手段による前記候補名ごとの疑問票数の集計が完了した際に、前記候補名ごとに、前記仮の得票数の集計結果から前記疑問票数の集計結果を減算して、該候補名ごとの得票数を集計する得票数集計手段と、を有して成る構成とされている。このような構成とすることにより、候補名ごとに仮の得票数から疑問票数が減算された候補名ごとの得票数を正確に短時間で集計することができる。
【００１３】
また、上記構成から成る自書式電子投票システムは、有効票数の集計を開始させる開始指示命令が前記操作手段に受け付けられた際に、前記コード照合手段により候補名が抽出される度に、該候補名の有効票のカウント数を増加させて前記候補名ごとの有効票数の集計を行う有効票数集計手段を有して成り、前記得票数集計手段は、該有効票数集計手段による前記候補名ごとの有効票数の集計が完了した際に、前記候補名ごとに、前記仮の得票数の集計結果から前記疑問票数の集計結果を減算し、前記有効票数の集計結果を加算して、該候補名ごとの得票数を集計する構成とされている。このような構成とすることにより、候補名ごとに仮の得票数から疑問票数が減算され、更に有効票数が加算された候補名ごとの得票数を正確に短時間で集計することができる。
【００１４】
また、本発明に係る自書式電子投票システムは、手書きにより文字の入力を受け付ける入力手段と、手書きにより入力された該文字を画像データに変換する変換手段と、該画像データから文字を認識して文字列データを生成する認識手段と、単数あるいは複数の候補名を記憶する候補名記憶手段と、該候補名記憶手段に記憶された該候補名ごとに、前記文字列データと照合を行い、前記文字列データに候補名と一致する部分がある場合には、その一致する部分がある該候補名を抽出する照合手段と、前記画像データおよび該画像データに対応した候補名が入力される度に、該候補名の仮の得票のカウント数を増加させて前記候補名ごとの仮の得票数の集計を行う仮得票数集計手段と、前記画像データと該画像データに対応した候補名を照合し、一致していなければ疑問票と判定する疑問票判定手段と、該疑問票判定手段により前記画像データと該画像データに対応した候補名が疑問票と判定される度に、該候補名の疑問票のカウント数を増加させて前記候補名ごとの疑問票数の集計を行う疑問票数集計手段と、所定の開始指示命令の入力を受け付ける操作手段と、前記疑問票数が減算された得票数の集計を開始させる開始指示命令が前記操作手段に受け付けられた際に、前記候補名ごとに、前記仮の得票数の集計結果から前記疑問票数の集計結果を減算して、該候補名ごとの得票数を集計する得票数集計手段と、を有して成る構成とされている。このような構成とすることにより、候補名ごとに仮の得票数から疑問票数が減算された正確な候補名ごとの得票数を自動的に短時間で集計することができる。また、投票者は、候補名への意思表示を示した投票を自由に手書き入力して投票を行うことができる。
【００１５】
また、上記構成から成る自書式電子投票システムは、前記照合手段により抽出された前記候補名に対応したコードに変換するコード化手段と、前記疑問票判定手段により疑問票と判定された前記画像データ、該画像データに対応した候補名および該候補名に対応したコードを用紙に記録する記録手段と、を有して成る構成とされている。このような構成とすることにより、候補名ごとに仮の得票数から疑問票数が減算された正確な候補名ごとの得票数を自動的に短時間で集計することができるとともに、投票された候補名に対応したコードが用紙に記録されるため、更にそのコードを利用して、疑問票に含まれる有効票や対立候補票等が加算あるいは減算された正確な候補名ごとの得票数を短時間で集計することができる。
【００１６】
また、上記構成から成る自書式電子投票システムは、前記照合手段により抽出された前記候補名と該候補名に対応したコードのデータを記憶する集計用記憶手段と、前記用紙に印刷された前記コードを取り込んで、前記コードのデータに対応した候補名を抽出するコード照合手段と、有効票数の集計を開始させる開始指示命令が前記操作手段に受け付けられた際に、前記コード照合手段により候補名が抽出される度に、該候補名の有効票のカウント数を増加させて前記候補名ごとの有効票数の集計を行う有効票数集計手段と、を有して成り、前記得票数集計手段は、前記疑問票数が減算および前記有効票数が加算された得票数の集計を開始させる開始指示命令が前記操作手段に受け付けられた際に、前記候補名ごとに、前記仮の得票数の集計結果から前記疑問票数の集計結果を減算し、前記有効票数の集計結果を加算して、該候補名ごとの得票数を集計する構成とされている。このような構成とすることにより、用紙に投票された候補名に対応したコードが用紙に記録されるため、候補名ごとに仮の得票数から疑問票数が減算され、更に有効票数が加算された正確な候補名ごとの得票数を短時間で集計することができる。
【００１７】
また、上記構成から成る自書式電子投票システムにおける前記記録手段は、前記コードをバーコードあるいは２次元コードとして用紙に印刷する構成とされている。このような構成とすることにより、バーコードあるいは２次元コードを利用して、得票数の集計をより短時間で正確に行うことができる。
【００１８】
また、上記構成から成る自書式電子投票システムにおける前記記録手段は前記コードを用紙に組み込まれたＩＣタグに保存構成とされている。このような構成とすることにより、ＩＣタグに保存されたコードを利用して、得票数の集計をより短時間で正確に行うことができる。
【発明の効果】
【００１９】
上記したように、本発明に係る自書式電子投票システムであれば、投票時に所定の候補名に投票するために手書き入力された文字から正確な候補名ごとの得票数をより短時間で集計することが可能となるとともに、特定の候補への意思表示を示した投票を自由に手書き入力して投票を行うことが可能となる。
【発明を実施するための最良の形態】
【００２０】
以下、本発明に係る自書式電子投票システムの第１実施形態について図を参照にして説明する。図１は第１実施形態に係る自書式電子投票システムの要部構成を示すブロック図である。図１に示すように、本実施形態の自書式電子投票システム１は、後述で詳細に説明するように、投票時に、投票者によって後述のタッチパネル機能を備えた液晶ディスプレイ上へ手書き入力される候補者名等を示す文字の入力を受け付けて、その手書き入力された文字（以下、手書き文字と呼ぶ）を画像データに変換し、その画像データから文字を認識して文字列データを生成し、候補者名リストと照合を行い、その手書き文字の画像データおよびそれに対応する候補者名データを後述の電子集計装置３へ送信する自書式電子投票装置１と、自書式電子投票装置１から受信したその手書き文字の画像データおよびそれに対応する候補者名データから後述するように候補者名ごとの得票数を集計する電子集計装置３と、を有して成る。
【００２１】
まず、自書式電子投票システム１における自書式電子投票装置２の要部構成について以下に説明を行う。本実施形態の自書式電子投票システム１における自書式電子投票装置２は、図１に示すように、本装置全体の動作を制御する制御部２０と、候補者名等を手書き入力するための入力操作手段（タッチパネルや入力キーなど）や投票者へ手書き入力に関する案内等を表示する表示手段（液晶ディスプレイなど）からなる入力表示部２１と、各種プログラムやデータの記憶領域およびワーク領域として利用されるメモリ部２２と、外部のネットワーク５０と本装置の通信接続を確立するためのインタフェース部２３と、を有して成る。
【００２２】
自書式電子投票装置２の制御部２０は、入力表示部２１の後述する液晶ディスプレイ２１１から入力された手書き文字を画像データに変換する変換部２０１と、変換部２０１により変換された該画像データからＯＣＲ[Optical Character Reader]処理等により文字を認識して、入力された手書き文字の順番と一致した文字列データを生成する認識部２０２と、後述の候補者記憶部２２３に記憶された候補者名リスト内の候補者名およびその候補者名に関連付けされた別名（例えば、「田中太郎」氏に対して「タロウ」）ごとに、認識部２０２により生成された手書き文字の文字列データと照合を行い、文字列データ内に候補者名と一致する部分がある候補者名を抽出する、あるいは手書き文字が候補者名に関連付けされた別名である場合には、候補者名リスト内の別名と手書き入力された別名の文字列データを照合し、両者が一致していれば、候補者名リスト内の別名に関連付けされた候補者名を抽出する照合部２０３と、照合部２０３により抽出された候補者名を送信可能な候補者名データに変換し、変換部２０１により変換された手書き文字の画像データおよびその候補者名データを電子集計装置３へ送信する制御を行う送信部２０４と、を有して成る。
【００２３】
自書式電子投票装置２のメモリ部２２は、各種制御プログラム等が格納されたＲＯＭ２２１［Read Only Memory］と、ワーク領域として用いられるＲＡＭ２２２［Random Access Memory］と、ハードディスク[hard disk]あるいはフラッシュメモリ[flash memory]等からなり、単数あるいは複数の候補者名およびその候補者名に関連付けされた別名を含む候補者名リストを記憶する候補者記憶部２２３と、変換部２０１により変換された手書き文字の画像データおよび照合部２０３により抽出された候補者名等が記憶される投票記憶部２２４と、を有して成る。
【００２４】
また、自書式電子投票装置２の入力表示部２１について以下に説明を行う。図２は、自書式電子投票装置２における入力表示部２１の一例を示す図である。入力表示部２１は、図２に示すように、タッチパネル機能を備えた液晶ディスプレイ２１１と、液晶ディスプレイ２１１の候補者名記入欄２１３に手書き入力されて表示された候補者名等を投票する際に押下される投票キー２１４と、液晶ディスプレイ２１１の候補者名記入欄２１３に手書き入力されて表示された候補者名等を取り消す際に押下される取消キー２１５と、を有して成る。
【００２５】
また、液晶ディスプレイ２１１は、投票者により候補者名あるいはその別名等を示す単数あるいは複数の文字が手書き入力され、その手書き入力された文字が表示される領域となる候補者名記入欄２１３と、投票者に候補者名記入欄２１３への候補者名等の手書き入力に関する案内画面等が表示される領域となる案内表示欄２１２と、を有して成る。
【００２６】
電子集計装置３は、図１に示すように、本装置全体の動作を制御する制御部３０と、操作手段（テンキーやタッチパネルなど）と表示手段（液晶ディスプレイなど）から成る操作表示部３１と、各種プログラムやデータの記憶領域およびワーク領域として利用されるメモリ部３２と、原稿台（不図示）にセットされた原稿を自動搬送する原稿搬送部３３と、原稿搬送部３３から搬送された原稿の画像を取り込んで画像データを生成する原稿取込部３４と、所定の印刷データに基づいて用紙に印刷を行う印刷部３５と、外部のネットワーク５０と本装置の通信接続を確立するためのインタフェース部３６と、を有して成る。なお、本実施形態の自書式電子投票システムにおける自書式電子投票装置２と電子集計装置３は、ネットワーク５０を介してデータの送受信を行うことが可能である。
【００２７】
電子集計装置３の制御部３０は、自書式電子投票装置２から送信された手書き文字の画像データおよびそれに対応した候補者名データを受信して、後述の集計記憶部３２４の予め割り当てられたメモリ領域に記憶させる受信部３０５と、ＲＯＭ３２１に記憶された文字列データをバーコードに変換するバーコード変換プログラムに従って、受信部３０により受信された候補者名データを各候補者名専用のバーコードデータに変換し、候補者名とバーコードデータを対応させて集計記憶部３２４の予め割り当てられたメモリ領域に記憶させるコード化部３０２と、受信された手書き文字の画像データおよびそれに対応した候補者名データ、更にコード化部３０２によりその候補者名データから変換されたバーコードデータを、後述する投票結果印刷用用紙に印刷可能な印刷データに変換して印刷部３５に入力する印刷制御部３０３と、原稿取込部３４より取り込まれた印刷済みの投票結果印刷用用紙の画像データからバーコードを解読した後に、コード化部３０２により集計記憶部３２４に記憶された候補者名に対応したバーコードデータとその画像データから解読されたバーコードを照合し、更にその画像データから解読されたバーコードに一致する集計記憶部３２４に記憶されたバーコードデータに対応した候補者名を抽出するコード照合部３０４と、仮の得票数の集計を開始させる開始指示命令が操作表示部３１に受け付けられた際に、コード照合部３０４により候補者名が抽出される度に、その候補者名の仮の得票のカウント数を増加させて候補者名ごとの仮の得票数の集計を行う仮得票数集計手段、疑問票の集計を開始させる開始指示命令が操作表示部３１に受け付けられた際に、コード照合部３０４により候補者名が抽出される度に、その候補者名の疑問票のカウント数を増加させて候補者名ごとの疑問票数の集計を行う疑問票数集計手段、有効票の集計を開始させる開始指示命令が操作表示部３１に受け付けられた際に、コード照合部３０４により候補者名が抽出される度に、その候補者名の有効票のカウント数を増加させて候補者名ごとの有効票数の集計を行う有効票数集計手段、および疑問票数集計手段が完了した際に、仮の得票数から疑問票数の減算を行うあるいは有効票数集計手段による集計が完了した際に、仮の得票数疑問票数が減算され、有効票数が加算された候補者名ごとの得票数の集計を行う得票数集計手段等の役割を担い、各種票の集計に関する処理を行う集計部３０１と、を有して成る。
【００２８】
なお、原稿搬送部３３から搬送された印刷済み投票結果印刷用用紙から直接バーコードを読み込んでそのバーコードデータを生成するバーコード読取部が備えられ、コード照合部３０４により、集計記憶部３２４に記憶された候補者名に対応したバーコードデータとバーコード読取部より生成されたバーコードデータを照合され、バーコード読取部により生成されたバーコードデータに一致する集計記憶部３２４に記憶されたバーコードデータに対応した候補者名が抽出されてもよい。
【００２９】
電子集計装置３のメモリ部３２は、文字列データをバーコードデータに変換するバーコード変換プログラムや各種制御プログラム等が格納されたＲＯＭ３２１［Read Only Memory］と、ワーク領域として用いられるＲＡＭ３２２［Random Access Memory］と、ハードディスク[hard disk]あるいはフラッシュメモリ[flash memory]等からなり、単数あるいは複数の候補者名およびその候補者名に関連付けられた別名を含む候補者名リストを記憶する候補者記憶部３２３と、ハードディスクからなり、自書式電子投票装置２から送信された手書き文字の画像データおよびそれに対応した候補者名データ、コード化部３０２により候補者名とその候補者名に対応したバーコードデータおよび各種データ等が記憶される集計記憶部３２４と、を有して成る。
【００３０】
なお、本実施形態の自書式電子投票システム１は、投票時に手書き入力された文字の画像、それに対応した候補者名およびその候補者名に対応したバーコードが用紙に印刷され、その用紙を用いて候補者名ごとの仮の得票数および疑問票数が集計され、候補者名ごとに仮の得票数から疑問票数が減算された候補者名ごとの最終の得票数が集計される集計制御に特徴を有している。
【００３１】
そこで、以下では、図を参照しながら、本実施形態の自書式電子投票システム１における投票時に手書き入力された文字の画像、それに対応した候補者名およびその候補者名に対応したバーコードが用紙に印刷され、その用紙を用いて候補者名ごとの仮の得票数および疑問票数が集計され、候補者名ごとに仮の得票数から疑問票数が減算された候補者名ごとの最終の得票数が集計される集計制御について詳細な説明を行う。
【００３２】
まず、投票者により投票が行われる際の本実施形態の自書式電子投票システム１における自書式電子投票装置２の動作について以下に説明する。図３は、自書式電子投票装置２の動作を説明するためのフローチャートである。本実施形態の自書式電子投票システム１における自書式電子投票装置２では、ステップＳ３−１で、案内表示欄２１２に投票者にタッチペン（不図示）で候補者記入欄２１３に投票したい候補者名の記入を要求する旨が表示され、投票者により候補者名記入欄２１３に手書きで文字が書かれると、液晶ディスプレイ２１１によりその手書き文字の入力が受け付けられて、制御部２０によりほぼ同時にその手書き文字が液晶ディスプレイ２１１の候補者記入欄２１３に表示される。
【００３３】
続いて、ステップＳ３−２で、投票者により投票キー２１４が押下されると、入力された手書き文字が変換部２０１により画像データに変換され、ステップＳ３−３で、認識部２０２により手書き文字の画像データにＯＣＲ処理等が行われ該画像データから各文字が認識された後、手書き文字と同じ文字の順番で文字列データが生成される。
【００３４】
続いて、ステップＳ３−４で、照合部２０３によって、その文字列データが、候補者記憶部２０３に記憶された候補者リスト内の候補者名およびその候補者名に関連付けされた別名の全てと照合され、ステップＳ３−５で、照合部２０３によりその文字列データ内に特定の候補者名と一致する部分があると認識される場合あるいはその文字列データが候補者名に関連付けされた別名と一致すると認識される場合には（Ｓ３−５ＹＥＳ）、ステップＳ３−６で、ステップＳ３−５において照合部２０３によりその文字列データ内に特定の候補者名と一致する部分があると認識される場合にはその候補者名が抽出され、あるいはステップＳ３−５においてその文字列データが候補者名に関連付けされた別名と一致すると認識される場合には、候補者リスト内の別名に関連付けされた候補者名が抽出される。そして、液晶ディスプレイ２１１の案内表示欄２１２に投票が完了した旨が表示される。
【００３５】
続いて、ステップＳ３−７で、制御部２０により手書き文字の画像データおよびそれに対応した候補者名が投票記憶部２２４に記憶される。
【００３６】
続いて、ステップＳ３−８で、送信部２０４により、照合部２０４により抽出された候補者名が送信のために候補者名データに変換された後、手書き文字の画像データおよびその画像データに対応した候補者名データが、投票者の投票結果として、ネットワーク５０に接続されたインタフェース部２３を介して電子集計装置３へ送信される。そして、再び案内表示欄２１２に投票者にタッチペン（不図示）で候補者記入欄２１３に投票したい候補者名の記入を要求する旨が表示され、本動作は完了となる。
【００３７】
また、ステップＳ３−５で、照合部２０３によりその文字列データ内に特定の候補者名と一致する部分がないと認識される場合あるいはその文字列データが候補者名に関連付けされた別名と一致しないと認識される場合には（Ｓ３−５ＹＥＳ）、ステップＳ３−９で、候補者名の抽出ができないため、液晶ディスプレイ２１１の案内表示欄２１２に再入力を依頼する旨が表示され、ステップＳ３−１に戻る。
【００３８】
なお、上記で説明したように、自書式電子投票装置２が利用されて、異なる投票者によって順次投票が行われ、自書式電子投票装置２から電子集計装置３へ手書き文字の画像データおよびその画像データに対応した候補者名データが送信される。
【００３９】
次に、本実施形態の自書式電子投票システム１の電子集計装置３における受信した手書き文字の画像データおよびそれに対応した候補者名データに基づいて投票結果印刷用用紙に手書き文字の画像、それに対応した候補者名およびその候補者名に対応したバーコードが印刷される動作について以下に説明する。図４は、電子集計装置３における受信した投票結果の投票結果印刷用用紙への印刷動作の一例を示すフローチャートである。図５は、手書き文字の画像とそれに対応した候補者名が一致する場合の印刷済みの投票結果印刷用用紙の一例を示す図である。
【００４０】
本実施形態の自書式電子投票システム１の電子集計装置３では、ステップＳ４−１で、受信部３０５により自書式電子投票装置２から送信された手書き文字の画像データおよびそれに対応した候補者名データが、ネットワーク５０に接続されたインタフェース部３６を介して受信されると、受信部３０５によりその手書き文字の画像データおよびそれに対応した候補者名データが、一旦集計記憶部３２４に記憶される。
【００４１】
続いて、ステップＳ４−２で、コード化部３０２により、文字列データをバーコードデータに変換するバーコード変換プログラムに従って、集計記憶部３２４に記憶されたその候補者名データが読み込まれて、候補者名データが候補者名専用のバーコードデータに変換され、手書き文字の画像データ、それに対応した候補者名データおよびその候補者名に対応したバーコードデータが関連付けられて集計記憶部３２４に記憶される。
【００４２】
続いて、ステップＳ４−３で、印刷制御部３０３により、図５に示すように、手書き文字の画像データ、それに対応した候補者名データおよびその候補者名に対応したバーコードデータが、後述の投票結果印刷用用紙６０に印刷可能な印刷命令を含む印刷データに変換され、その印刷データが印刷部３５に送られる。そして、印刷部３５により領域６４に手書き文字の画像、領域６５にそれに対応した候補者名および投票結果印刷用用紙６０の下部にその候補者名に対応したバーコード６６が印刷され、本動作は完了となる。
【００４３】
なお、上記で説明したように、異なる投票者により自書式電子投票装置２が利用されて順次投票が行われると、自書式電子投票装置２から送信された手書き文字の画像データおよびそれに対応した候補者名データが電子集計装置３に受信され、電子集計装置３により投票結果印刷用用紙６０に手書き文字の画像、それに対応した候補者名およびその候補者名に対応したバーコードの印刷が行われる。
【００４４】
なお、印刷部３５により手書き文字の画像、それに対応した候補者名およびその候補者名に対応したバーコードが印刷される投票結果印刷用用紙６０には、図５に示すように、予め用紙が投票結果印刷用の用紙である旨を示す表記部６１と、手書き文字が印刷される領域６４を説明する表記部６２と、領域６４に印刷された手書き文字に対応する候補者名が印刷される領域６５を説明する表記部６３と、が印刷されている。
【００４５】
また、図５に示すように、自書式投票装置２で入力された手書き文字が全て正規の候補者名のみであれば、投票結果印刷用用紙６０に印刷された領域６４の手書き文字の画像と領域６５のそれに対応した候補者名が一致するため、電子集計装置３により後述の集計動作と同様に投票結果印刷用用紙６０に印刷されたバーコード６６が利用されて、候補者名ごとの得票数を正確に短時間で集計することができる。
【００４６】
しかしながら、自書式電子投票装置２において投票者により正規の候補者名のみが手書き入力されずに、例えば「○木△男に投票します」あるいは「○木△男に投票しません」といったように手書き入力された場合には、自書式電子投票装置２の照合部２０３により候補者記憶部２２３に記憶された候補者名リスト内の候補者名およびその候補者名に関連付けされた別名ごとに、認識部２０２により生成された手書き文字の文字列データの照合が行われ、文字列データ内に候補者名と一致する部分がある候補者名が抽出され、あるいは手書き文字が候補者名に関連付けされた別名である場合には、候補者リスト内の別名と手書き入力された別名の文字列データを照合し、一致していれば、候補者リスト内の別名に関連付けされた候補者名が抽出されるため、図６および図７に示すように、電子集計装置３により投票結果印刷用用紙６０の領域６５に候補者名「○木△男」が印刷される。
【００４７】
このため、図６および図７に示すように、領域６４に印刷された手書き文字の画像と領域６５に印刷されたその抽出された候補者名が一致していない印刷済みの投票結果印刷用用紙６０については、選挙管理者に疑問票として取り扱われる。なお、以下では、本実施形態の自書式電子投票システム１の電子集計装置３における候補者名ごとにその疑問票数が減算された候補者名ごとの得票数の集計動作について説明を行う。
【００４８】
次に、本実施形態の自書式電子投票システム１の電子集計装置３における候補者名ごとに疑問票数が減算された候補者名ごとの得票数の集計動作について以下に説明する。図８は、第１実施形態に係る自書式電子投票システム１の電子集計装置３における疑問票数が減算された候補者名ごとの得票数の集計動作の一例を示すフローチャートである。
【００４９】
本実施形態の自書式電子投票システム１の電子集計装置３では、ステップＳ８−１で、選挙管理者によって全ての印刷済みの投票結果印刷用用紙６０が原稿搬送部３３にセットされ、操作表示部３１に表示された仮の得票数の集計を開始させる旨のボタン（不図示）が押下されると、仮の得票数の集計を開始させる開始指示命令に従って、原稿搬送部３３から印刷済みの投票結果印刷用用紙６０が下から１枚抜き取られて、原稿取込部３４に搬送される。
【００５０】
そして、原稿取込部３４で印刷済みの投票結果印刷用用紙６０の画像が読み込まれて画像データが生成され、コード照合部３０４によりその画像データからバーコード６６が解読された後、集計記憶部３２４に記憶された候補者名に対応したバーコードデータと解読されたバーコード６６の照合が行われ、一致するバーコードデータに対応した候補者名が抽出される。
【００５１】
そして、集計部３０１により、その抽出された候補者名がコード照合部３０４から読み込まれ、その候補者名の仮の得票数としてカウント数が１増加され、集計記憶部３２４の予め設定されたメモリ領域に更新して記憶される。このように、原稿搬送部３３にセットされた全ての印刷済みの投票結果印刷用用紙６０について繰り返し候補者名ごとに仮の得票数のカウントが実施され、原稿搬送部３３に備えられた原稿有無センサ（不図示）により印刷済みの投票結果印刷用用紙６０が無いことが検知されると、制御部３０により候補者名ごとに仮の得票数の集計結果が操作表示部３１に表示される。
【００５２】
上記で説明したように、本実施形態の自書式電子投票システム１であれば、疑問票が発生していない場合には、バーコード６６が投票結果印刷用用紙６０に印刷されているため、候補者名ごとの得票数の集計を正確に短時間で行うことができる。
【００５３】
続いて、ステップＳ８−２で、ステップＳ８−１において仮の得票数が集計された印刷済みの投票結果印刷用用紙６０のうち、図６および図７に示すように、選挙管理者により、疑問票として取り扱われた印刷済みの投票結果印刷用用紙６０（以下、疑問票と呼ぶ）が原稿搬送部３３にセットされ、操作表示部３１に表示された疑問票の集計を開始させる旨のボタン（不図示）が押下されると、疑問票の集計を開始させる開始命令に従って、制御部３０により疑問票に印刷されたバーコードの読み取りの開始が認識される。
【００５４】
続いて、ステップＳ８−３で、原稿搬送部３３により疑問票が下から１枚抜き取られて、原稿取込部３４に搬送され、原稿取込部３４により画像データが生成される。そして、コード照合部３０４によりその画像データからバーコード６６が抽出され、そのバーコードが解読される。
【００５５】
続いて、ステップＳ８−４で、コード照合部３０４によりその解読されたバーコード６６と集計記憶部３２４に記憶された候補者名に対応したバーコードデータとの照合が行われ、バーコード６６に対応した候補者名が抽出され認識される。
【００５６】
続いて、ステップＳ８−５で、コード照合部３０４により認識された候補者名が集計部３０１に読み込まれ、集計部３０１によりその候補者名の疑問票のカウント数が１増加された値が集計記憶部３２４に更新して記憶される。
【００５７】
続いて、ステップＳ８−６で、原稿搬送部３３に備えられた原稿有無センサ（不図示）により疑問票が検出され、制御部３０により疑問票が原稿搬送部３３に有ると認識される場合（Ｓ８−６ＹＥＳ）には、ステップＳ８−３に戻り、前述したように原稿搬送部３３の疑問票が原稿有無センサ（不図示）に検出されなくなるまで、繰り返し候補者名ごとに疑問票のカウントが行われる。
【００５８】
また、ステップＳ８−６で、原稿搬送部３３に備えられた原稿有無センサ（不図示）により疑問票が検出されず、制御部３０により疑問票が原稿搬送部３３に無いと認識される場合（Ｓ８−６ＮＯ）には、ステップＳ８−７で、集計部３０１により集計記憶部３２４に記憶された候補者名ごとの疑問票のカウント数および候補者名ごとの仮の得票数が読み込まれ、更に候補者名ごとに仮の得票数から疑問票数が減算されて候補者名ごとの最終の得票数が集計される。
【００５９】
続いて、ステップＳ８−８で、ステップＳ８−７において集計部３０１により候補者名ごとに仮の得票数から疑問票のカウント数が減算されて集計された候補者名ごとの最終の得票数が、集計記憶部３２４に記憶され、操作表示部３１に候補者名ごとに最終の得票数が表示される。更に、印刷制御部３０３により候補者名ごとの最終の得票数データが集計記憶部３２４から読み込まれて印刷データに変換された後に印刷部３５に送られ、印刷部３５により候補者名ごとの最終の得票数が用紙に印刷される。
【００６０】
上記で説明したように、本実施形態の自書式電子投票システム１であれば、投票結果印刷用用紙６０にバーコードが印刷されて、そのバーコードが利用されて集計が行われる構成であるため、候補者名ごとに仮の得票数から疑問票が減算された正確な候補者名ごとの得票数を短時間で集計することができる。また、投票者は、候補者への意思表示を示した投票を自由に手書き入力して投票を行うことができる。
【００６１】
次に、本発明に係る自書式電子投票システム１の第２実施形態について図を参照して以下に説明する。図６に示す印刷済みの投票結果印刷用用紙６０は、前述したように領域６４の手書き文字の画像と領域６５のその手書き文字の画像に対応した候補者名が異なるため、選挙管理者により疑問票として取り扱われる。しかしながら、図６に示すように、印刷済みの投票結果印刷用用紙６０の領域６４には、「○本△男に投票します」と印刷されており、「○本△男」氏に投票する意思があると選挙管理者に認識されるため、図６および図７に示す疑問票として取り扱われた印刷済みの投票結果印刷用用紙６０のうち、選挙管理者により図６に示すこのような印刷済みの投票結果印刷用用紙６０が有効票として取り扱われる。なお、以下では、選挙管理者により有効票として取り扱われた印刷済みの投票結果印刷用用紙６０を有効票と呼ぶ。
【００６２】
そこで、以下では、本実施形態の自書式電子投票システム１における候補者名ごとに仮の得票数から疑問票数が減算され、更に有効票数が加算された候補者名ごとの得票数の集計動作について説明を行う。なお、本実施形態の自書式電子投票システム１における要部構成、自書式電子投票装置２の動作および電子集計装置３による投票結果印刷用用紙６０への印刷動作は、図１〜図４を参照して前述した説明と同様であるため、それらの説明を省略するとともに、特に必要がない限り同一符号で説明を行う。図９は、第２実施形態に係る自書式電子投票システム１の電子集計装置３における疑問票数の減算および有効票数の加算された候補者名ごとの得票数の集計動作を示すフローチャートである。
【００６３】
本実施形態の自書式電子投票システム１の電子集計装置３では、図９に示すように、ステップＳ９−１で、前述した図８に示すステップＳ８−１と同様に、投票結果印刷用用紙６０に印刷された候補者名に対応したバーコード６６が利用されて、候補者名ごとの仮の得票数の集計が行われる。
【００６４】
続いて、ステップＳ９−２で、前述した図８に示すステップＳ８−２〜Ｓ８−６と同様に、候補者名ごとに疑問票のカウントが行われ、候補者名ごとの疑問票のカウント数が集計記憶部３２４に記憶される。
【００６５】
続いて、ステップＳ９−３で、ステップＳ９−２において集計の行われた疑問票のうち、有効票が原稿搬送部３３にセットされ、操作表示部３１に表示された有効票の集計を開始させる旨のボタン（不図示）が押下されると、有効票の集計を開始させる開始指示命令に従って、制御部３０により有効票のバーコードの読み取りの開始が認識される。
【００６６】
続いて、ステップＳ９−４で、原稿搬送部３３により有効票が下から１枚抜き取られて、原稿取込部３４に搬送され、原稿取込部３４により画像データが生成される。そして、コード照合部３０４によりその画像データからバーコード６６が抽出され、そのバーコードが解読される。
【００６７】
続いて、ステップＳ９−５で、コード照合部３０４によりその解読されたバーコード６６と集計記憶部３２４に記憶された候補者名と対応したバーコードデータとの照合が行われ、候補者名が抽出され認識される。
【００６８】
続いて、ステップＳ９−６で、コード照合部３０４により認識された候補者名が集計部３０１に読み込まれ、集計部３０１によりその候補者名の有効票のカウント数が１増加された値が集計記憶部３２４に更新して記憶される。
【００６９】
続いて、ステップＳ９−７で、原稿搬送部３３に備えられた原稿有無センサ（不図示）により有効票が検出され、制御部３０により有効票が原稿搬送部３３に有ると認識される場合（Ｓ９−７ＹＥＳ）には、ステップＳ９−４に戻り、前述したように原稿搬送部３３にセットされた有効票が原稿有無センサ（不図示）に検出されなくなるまで、繰り返し候補者名ごとに有効票のカウントが行われる。
【００７０】
また、ステップＳ９−７で、原稿搬送部３３に備えられた原稿有無センサ（不図示）により有効票が検出されず、制御部３０により有効票が原稿搬送部３３に無いと認識される場合（Ｓ９−７ＮＯ）には、ステップＳ９−８で、集計部３０１により集計記憶部３２４に記憶された候補者名ごとの有効票のカウント数、候補者名ごとの疑問票のカウント数および候補者名ごとの仮の得票数が読み込まれる。そして、候補者名ごとに仮の得票数から疑問票数が減算され、更に有効票数が加算されて候補者名ごとの最終の得票数が集計される。
【００７１】
続いて、ステップＳ９−９で、ステップＳ９−８において集計部３０１により候補者名ごとに仮の得票数から疑問票数が減算され、更に有効票数が加算されて集計された候補者名ごとの最終の得票数が、集計記憶部３２４に記憶されるとともに、操作表示部３１に表示される。更に、印刷制御部３０３により候補者名ごとの最終の得票数データが集計記憶部３２４から読み込まれて印刷データに変換された後に印刷部３５に送られ、印刷部３５により候補者名ごとの最終の得票数が用紙に印刷される。
【００７２】
上記で説明したように、本実施形態の自書式電子投票システム１であれば、投票結果印刷用用紙６０にバーコードが印刷される構成であるため、候補者名ごとに仮の得票数から疑問票数が減算され、更に有効票数が加算された候補者名ごとの得票数を正確に短時間で集計することができる。また、投票者は、候補者への意思表示を示した投票を自由に手書き入力して投票を行うことができる。
【００７３】
次に、本発明に係る自書式電子投票システム１の第３実施形態について図を参照して以下に説明する。前述の第１および第２実施形態の自書式電子投票システム１における疑問票の集計は、選挙管理者に疑問票として取り扱われた印刷済みの投票結果印刷用用紙６０のバーコード６６が利用されて行われる構成であったが、本実施形態では、自書式電子投票システム１における自書式電子投票装置２から電子投票集計装置３に送信された手書き文字の画像データおよびそれに対応した候補者名データから、自動的に仮の得票のカウント数および疑問票のカウント数が求められ、候補者名ごとに仮の得票数から疑問票数が減算されて候補者ごとの最終の得票数が自動的に求められる集計動作について図を参照して説明する。図１０は、第３実施形態に係る自書式電子投票システム１の電子投票装置３における疑問票数が減算された候補者名ごとの得票数の集計動作の一例を示すフローチャートである。
【００７４】
なお、本実施形態の自書式電子投票システム１おける要部構成部おいて、第１実施形態で図１および図２を参照して説明した機能と同様な要部構成部については、それらの説明を省略し、異なる機能が追加された要部構成部について以下に説明する。また、本実施形態の自書式電子投票システム１おける自書式電子投票装置２から手書き文字の画像データおよびそれに対応した候補者名データの送信が行われるまでの動作は、第１実施形態で図３および図４のフローチャートを参照して説明した動作と同様であるため、それらの説明を省略する。また、特に必要がない限り同一符号で説明を行う。
【００７５】
受信部３０５は、自書式電子投票装置２から手書き文字の画像データおよびそれに対応した候補者名データを受信すると、これらのデータを集計部３０１およびコード照合部３０４へ入力するとともに、集計記憶部３２４に記憶させる。
【００７６】
集計部３０１は、受信部３０５から手書き文字の画像データおよびそれに対応した候補者名データが入力される度に、その候補者名の仮の得票のカウント数を１増加した値に更新して仮の得票数の集計を行う仮得票数集計手段およびコード照合部３０４により、手書き文字の画像データ、それに対応した候補者名データが疑問票であると判定され、その判定結果が入力される度に、その候補者名の疑問票のカウント数を１増加させて候補者名ごとの疑問票の集計を行う疑問票集計手段および疑問票数が減算された得票数の集計を開始させる開始指示命令が操作表示部３１に受け付けられた際に、候補者名ごとに、仮の得票数の集計結果から疑問票数の集計結果を減算して、候補者名ごとの得票数を集計する得票数集計手段としての役割を担う。
【００７７】
コード照合部３０４は、入力された手書き文字の画像データおよびそれに対応した候補者名データを比較して、一文字でも一致していなければ、それらのデータを疑問票であると判定する疑問票判定手段としての役割を担う。更に、コード照合部３０４は、候補者記憶部３２３の候補者名リスト内に候補者名と関連付けされた別名が記憶されていれば、その疑問票のうち、その候補者名リスト内の候補者名と関連付けされた別名と疑問票の手書き文字の画像データを照合し、その別名にその手書き文字の画像データが一致すると判定する場合には、それらのデータを疑問票と認識せず、また、その別名にその手書き文字の画像データが一致しないと判定する場合には、疑問票と認識して、これらの判定結果を集計部３０１に入力する。
【００７８】
以下、図１０のフローチャートを参照して、本実施形態の自書式電子投票システム１における電子投票集計装置３に受信された手書き文字の画像データおよびそれに対応した候補者名データから、自動的に仮の得票のカウント数および疑問票のカウント数が求められ、候補者名ごとに得票数から疑問票が減算されて候補者ごとの最終の得票数が自動的に求められる集計動作について説明する。
【００７９】
本実施形態の自書式電子投票システム１の電子集計装置３では、ステップＳ１０−１で、受信部３０５に自書式電子投票装置２から送信された手書き文字の画像データおよびそれに対応した候補者名データが受信されると、受信部３０５によりこれらのデータが集計部３０１およびコード照合部３０４へ入力されるとともに、集計記憶部３２４に記憶される。そして、集計部３０１に受信部３０５からその手書き文字の画像データおよびそれに対応した候補者名データが入力される度に、集計部３０１によりその候補者名データと候補者記憶部３２３に記憶された候補者名リストが照合され、照合の一致した候補者名が抽出されると、その候補者名の仮の得票数としてそのカウント数が１増加した値に更新されて集計記憶部３２４に予め設定されたメモリ領域に更新されて記憶される。
【００８０】
続いて、ステップＳ１０−２で、コード照合部３０４により受信部３０５から入力された手書き文字の画像データとそれに対応した候補者名データが比較され、一文字でも一致していないと判定される場合には（Ｓ１０−２ＮＯ）、ステップＳ１０−３で、コード照合部３０４により、その手書き文字の画像データと候補者記憶部３２３の候補者リスト内の候補者名に関連づけられた別名が照合される。そして、コード照合部３０４によりその手書き文字の画像データが、候補者名に関連づけられた別名に一致しないと判定される場合には（Ｓ１０−３ＮＯ）、ステップＳ１０−４で、コード照合部３０４により疑問票であると認識され、その判定結果が集計部３０１に入力されると、集計部３０１より、その候補者名の疑問票のカウント数が１増加した値に更新されて集計記憶部３２４に記憶される。
【００８１】
また、ステップＳ１０−２で、コード照合部３０４により受信部３０５から入力された手書き文字の画像データとそれに対応した候補者名データが比較され、文字が全て一致していると判定される場合には（Ｓ１０−２ＹＥＳ）、ステップＳ１０−５で、コード照合部３０４により疑問票として認識されず、後述のステップＳ１０−６に進む。
【００８２】
また、ステップＳ１０−３で、コード照合部３０４により、その手書き文字の画像データが、候補者名に関連づけられた別名と同じであると認識される場合には（Ｓ１０−３ＹＥＳ）、ステップＳ１０−５で、コード照合部３０４により疑問票として認識されず、後述のステップＳ１０−６に進む。
【００８３】
続いて、ステップＳ１０−６で、最終的な集計を行うために、操作表示部３１に表示された疑問票が減算された得票数の集計を開始させる旨のボタン（不図示）が押下された場合には（Ｓ１０−６ＹＥＳ）、ステップＳ１０−７で、疑問票が減算された得票数の集計を開始させる開始指示命令に従って、集計部３０１によりこれまで集計記憶部３２４に記憶された候補者名ごとの仮の得票数および候補者名ごとの疑問票のカウント数が読み込まれる。そして、候補者名ごとに仮の得票数から疑問票数が減算されて候補者名ごとの最終の得票数が集計される。
【００８４】
また、ステップＳ１０−６で、操作表示部３１に表示された疑問票が減算された得票数の集計を開始させる旨のボタン（不図示）が押下されない場合には（Ｓ１０−６ＮＯ）、ステップＳ１０−１に戻り、操作表示部３１に表示された疑問票が減算された得票数の集計を開始させる旨のボタン（不図示）が押下されるまで、上記で説明したように候補者名ごとに仮の得票数および候補者名ごとに疑問票のカウント数の集計が行われる。
【００８５】
続いて、ステップＳ１０−８で、集計部３０１により候補者名ごとに仮の得票数から疑問票数が減算されて集計された候補者名ごとの最終の得票数が、集計記憶部３２４に記憶されるとともに、操作表示部３１に表示される。そして、印刷制御部３０３に候補者名ごとの最終の得票数データが集計記憶部３２４から読み込まれて印刷データに変換された後に印刷部３５に送られ、印刷部３５により候補者名ごとの最終の得票数が用紙に印刷され、本動作は完了となる。
【００８６】
更に、以下に説明するように有効票のカウント数が求められて、候補者名ごとに仮の得票数から疑問票数が減算され、有効票数が加算されて候補者名ごとの最終の得票数が集計されてもよい。なお、図１０に示すステップＳ１０−１〜ステップＳ１０−５までの動作は同様であるため、その説明を省略する。
【００８７】
まず、前述のステップＳ１０−４において集計部３０１により、その手書き文字の画像データおよびそれに対応した候補者名データは疑問票として認識され、その候補者名の疑問票のカウント数が１増加した値に更新されて集計記憶部３２４に記憶された後に、コード化部３０２により文字列データをバーコードデータに変換するバーコード変換プログラムに従って、疑問票として認識された手書き文字の画像データに対応した候補者名データが読み込まれて、その候補者名に対応したバーコードデータが生成される。そして、候補者名データの候補者名に対応したバーコードデータが作成され、手書き文字の画像データ、それに対応した候補者名データおよびその候補者名データに対応したバーコードデータが関連付けられて集計記憶部３２４に記憶される。
【００８８】
続いて、印刷制御部３０３により、前述で疑問票として認識された手書き文字の画像データ、それに対応した候補者名データおよびそれに対応したバーコードデータが読み込まれた後に、印刷データに変換されて印刷部３５に送られる。そして、印刷部３５により、図６および図７に示すように、この印刷データに基づいて疑問票として投票結果印刷用用紙６０に手書き文字の画像、それに対応した候補者名およびその候補者名に対応したバーコードが印刷され、その疑問票の中から選挙管理者により有効票が選別される。
【００８９】
続いて、前述の第２実施形態で説明したように有効票のバーコードが利用されて有効票のカウント数が求められ、集計部３０１により、集計記憶部３２４に記憶された候補者名ごとの有効票のカウント数、候補者名ごとの疑問票のカウント数および候補者名ごとの仮の得票数が読み込まれる。そして、集計部３０１により、候補者名ごとに仮の得票数から疑問票数が減算され、更に有効票数が加算されて候補者名ごとの最終の得票数が集計される。
【００９０】
続いて、集計部３０１により、候補者名ごとの仮の得票数から疑問票数が減算され、更に有効票数が加算されて集計された候補者名ごとの最終の得票数値が、集計記憶部３２４に記憶されるとともに、操作表示部３１に表示される。そして、印刷制御部３０３に候補者名ごとの最終の得票数データが集計記憶部３２４から読み込まれて印刷データに変換された後に印刷部３５に送られ、印刷部３５により候補者名ごとの最終の得票数が用紙に印刷され、本動作は完了となる。
【００９１】
上記で説明したように、本実施形態の自書式電子投票システム１であれば、自書式電子投票装置２から送信された手書き文字の画像データおよびそれに対応した候補者名データが電子集計装置３で直ちに投票結果印刷用用紙６０に印刷されずに、候補者名ごとに仮の得票数から疑問票数が減算された候補者名ごとの最終の得票数が集計されるため、正確な得票数を短時間で得ることができる。更に、コード照合部３０４により疑問票と認識されて印刷された投票結果印刷用用紙６０にバーコードが印刷されるため、候補者名ごとに仮の得票数から疑問票数が減算され、更に有効票数が加算された正確な候補者ごとの最終の得票数も短時間で集計することができる。また、投票者は、候補者への意思表示を示した投票を自由に手書き入力して投票を行うことができる。
【００９２】
次に、本発明に係る自書式電子投票システム１の第４実施形態について図を参照して以下に説明する。本実施形態では、第１および第２実施形態で説明した自書式電子投票システム１における候補者名ごとに集計される仮の得票数、疑問票数および有効票数の集計動作に、例えば、立候補した候補者名が２名である場合で、選挙管理者により対立候補者に明らかに投票を行う意思があると認識された印刷済みの投票結果印刷用用紙６０（以下、対立候補票と呼ぶ）および無効票と認識できる印刷済みの投票結果印刷用用紙６０（以下、無効票と呼ぶ）の集計動作が追加された候補者名ごとの最終の得票数の集計動作について説明する。図１１は、第４実施形態に係る自書式電子投票システム１における集計動作の一例を示すフローチャートである。
【００９３】
なお、本実施形態の自書式電子投票システム１における要部構成、自書式電子投票装置２の動作および電子集計装置３による投票結果印刷用用紙６０への印刷動作は、図１〜図４を参照して第１実施形態で前述した説明と同様であるため、それらの説明を省略するとともに、特に必要がない限り同一符号で説明を行う。
【００９４】
ここで、印刷済みの投票結果印刷用用紙６０から選挙管理者によって分類される疑問票、有効票、対立候補票および無効票について以下に説明する。前述したように疑問票は、図６および図７に示すように、領域６４の手書きの文字と領域６３のその抽出された候補者名が一致していない印刷済みの投票結果印刷用用紙６０が疑問票として扱われる。
【００９５】
また、前述したように疑問票のうち、図６に示すように、印刷済みの投票結果印刷用用紙６０の領域６４に「○本△男に投票します」と記載されて、「○本△男」氏に投票する意思があると認識できるような疑問票は、有効票として取り扱われる。
【００９６】
また、疑問票のうち、例えば、立候補した候補者名が２名で、図７に示すように、印刷済みの投票結果印刷用用紙６０の領域６４に「○木△男に投票しません」と記載されて、「○本△男」氏に投票する意思がなく、対立候補者に投票する意思があると認識できるような疑問票は、対立候補票として取り扱われる。
【００９７】
また、疑問票のうち、例えば、立候補した候補者名が２名で、印刷済みの投票結果印刷用用紙６０の領域６４に「○本△男に投票？」と記載されて、「○本△男」氏あるいは対立候補者のどちらに投票の意思があるか判断できないような疑問票は、無効票として取り扱われる。なお、以下より、図１１のフローチャートを参照して、本実施形態の自書式電子投票システム１の電子集計装置３における集計動作を説明する。
【００９８】
本実施形態の自書式電子投票システム１の電子集計装置３では、図１１に示すように、ステップＳ１１−１で、印刷済みの投票結果印刷用用紙６０が原稿搬送部３３にセットされ、操作表示部３１に表示された仮の得票数の集計を開始させる旨のボタン（不図示）が押下されると、仮の得票数の集計を開始させる開始指示命令に従って、前述した図８に示すステップＳ８−１と同様に、投票結果印刷用用紙６０に印刷された候補者名に対応したバーコード６６が利用されて、候補者名ごとの仮の得票数の集計が行われる。
【００９９】
続いて、ステップＳ１１−２で、疑問票が原稿搬送部３３にセットされ、操作表示部３１に表示された疑問票のカウント数Ｚの集計を開始させる旨のボタン（不図示）が押下されると、疑問票のカウント数Ｚの集計を開始させる開始指示命令に従って、前述した図８に示すステップＳ８−２〜Ｓ８−６と同様に、候補者名ごとに疑問票のカウント数Ｚの集計が行われ、候補者名ごとの疑問票のカウント数Ｚが集計記憶部３２４に記憶される。
【０１００】
続いて、ステップＳ１１−３で、有効票が原稿搬送部３３にセットされ、操作表示部３１に表示された有効票のカウント数Ａの集計を開始させる旨のボタン（不図示）が押下されると、有効票のカウント数Ａの集計を開始させる開始指示命令に従って、前述した図９に示すステップＳ９−３〜Ｓ９−７と同様に、候補者名ごとに有効票のカウント数Ａの集計が行われ、候補者名ごとの有効票のカウント数Ａが集計記憶部３２４に記憶される。
【０１０１】
続いて、ステップＳ１１−４で、対立候補票が原稿搬送部３３にセットされ、操作表示部３１に表示された対立候補票のカウント数Ｂの集計を開始させる旨のボタン（不図示）が押下されると、対立候補票のカウント数Ｂの集計を開始させる開始指示命令に従って、投票結果印刷用用紙６０に印刷されたバーコードが用いられて候補者名ごとに対立候補票のカウント数Ｂの集計が行われ、候補者名ごとの対立疑問票のカウント数Ｂが集計記憶部３２４に記憶される。
【０１０２】
ここで、本実施形態の自書式電子投票システム１おいて、ステップＳ１１−４における候補者名ごとに対立候補票のカウントＢの集計が行われ、候補者名ごとの対立候補票のカウント数Ｂが集計記憶部３２４に記憶される集計動作について以下に説明する。図１２は、第４実施形態に係る自書式電子投票システム１の電子集計装置３における対立候補票のカウント数Ｂの集計動作の一例を示すフローチャートである。
【０１０３】
本実施形態の自書式電子投票システム１では、ステップＳ１２−１で、疑問票のうち、複数の対立候補票が原稿搬送部３３にセットされ、操作表示部３１に表示された対立候補票のカウント数Ｂの集計を開始させる旨のボタン（不図示）が押下されると、対立候補票のカウント数Ｂの集計を開始させる開始指示命令に従って、制御部３０により対立候補票のバーコード６６を読み取りの開始が認識される。
【０１０４】
続いて、ステップＳ１２−２で、原稿搬送部３３により対立候補票が下から１枚抜き取られて、原稿取込部３４に搬送され、原稿取込部３４により画像データが生成される。そして、コード照合部３０４によりその画像データからバーコード６６が抽出され、そのバーコード６６が解読される。
【０１０５】
続いて、ステップＳ１２−３で、コード照合部３０４によりその解読されたバーコード６６と集計記憶部３２４に記憶された候補者名に対応したバーコードデータとの照合が行われ、バーコード６６に対応した候補者名が抽出されて認識される。
【０１０６】
続いて、ステップＳ１２−４で、コード照合部３０４により認識された候補者名が集計部３０１に送られ、集計部３０１によりその候補者名の対立候補票のカウント数が１増加された値が集計記憶部３２４に更新して記憶される。
【０１０７】
続いて、ステップＳ１２−５で、原稿搬送部３３に備えられた原稿有無センサ（不図示）により対立候補票が検出され、制御部３０により対立候補票が原稿搬送部３３に有ると認識される場合（Ｓ１２−５ＹＥＳ）には、ステップＳ１２−２に戻り、前述したように原稿搬送部３３にセットされた対立候補票がなくなるまで、繰り返し候補者名ごとの対立候補票のカウントが行われる。
【０１０８】
また、ステップＳ１２−５で、原稿搬送部３３に備えられた原稿有無センサ（不図示）により対立候補票が検出されず、制御部３０により対立候補票が原稿搬送部３３に無いと認識される場合（Ｓ１２−５ＮＯ）には、この時点での集計記憶部３２４に記憶された候補者名ごとの対立候補票のカウント数が、候補者名ごとの対立候補票のカウント数Ｂとなり、集計動作は完了となる。なお、以下から図１１のフローチャートの説明に戻る。
【０１０９】
続いて、ステップＳ１１−５で、無効票が原稿搬送部３３にセットされ、操作表示部３１に表示された無効票のカウント数Ｃの集計を開始させる旨のボタン（不図示）が押下されると、無効票のカウント数Ｃの集計を開始させる開始指示命令に従って、無効票に印刷されたバーコードが用いられて候補者名ごとに無効票のカウント数の集計が行われ、候補者名ごとの無効票のカウント数Ｃが集計記憶部３２４に記憶される。
【０１１０】
ここで、本実施形態の自書式電子投票システム１おいて、ステップＳ１１−５における無効票に印刷されたバーコードが用いられて候補者名ごとに無効票のカウント数Ｃの集計が行われ、候補者名ごとの無効票のカウント数Ｃが集計記憶部３２４に記憶される集計動作について以下に説明する。図１３は、第４実施形態に係る自書式電子投票システム１の電子集計装置３における無効票のカウント数Ｃの集計動作の一例を示すフローチャートである。
【０１１１】
本実施形態の自書式電子投票システム１では、ステップＳ１３−１で、無効票が原稿搬送部３３にセットされ、操作表示部３１に表示された無効票のカウント数Ｃの集計を開始させる旨のボタン（不図示）が押下されると、無効票のカウント数Ｃの集計を開始させる開始指示命令に従って、制御部３０により無効票のバーコードを読み取りの開始が認識される。
【０１１２】
続いて、ステップＳ１３−２で、原稿搬送部３３により無効票が下から１枚抜き取られて、原稿取込部３４に搬送され、原稿取込部３４により画像データが生成される。そして、コード照合部３０４によりその画像データからバーコード６６が抽出され、そのバーコードが解読される。
【０１１３】
続いて、ステップＳ１３−３で、コード照合部３０４によりその解読されたバーコードと集計記憶部３２４に記憶された候補者名に対応したバーコードデータとの照合が行われ、無効票のバーコードの示す候補者名が抽出されて認識される。
【０１１４】
続いて、ステップＳ１３−４で、コード照合部３０４により認識された候補者名が集計部３０１に送られ、集計部３０１によりその候補者名の無効票のカウント数が１増加された値が集計記憶部３２４に更新して記憶される。
【０１１５】
続いて、ステップＳ１３−５で、原稿搬送部３３に備えられた原稿有無センサ（不図示）により無効票が検出され、制御部３０により無効票が原稿搬送部３３に有ると認識される場合（Ｓ１３−５ＹＥＳ）には、ステップＳ１３−２に戻り、前述したように原稿搬送部３３にセットされた無効票がなくなるまで、繰り返し候補者名ごとの無効票のカウントが行われる。
【０１１６】
また、ステップＳ１３−５で、原稿搬送部３３に備えられた原稿有無センサ（不図示）により無効票が検出されず、制御部３０により無効票が原稿搬送部３３に無いと認識される場合（Ｓ１３−５ＮＯ）には、この時点での集計記憶部３２４に記憶された候補者名ごとの無効票のカウント数が、候補者名ごとの無効票のカウント数Ｃとなり、集計動作は完了となる。なお、以下から図１１のフローチャートの説明に戻る。
【０１１７】
続いて、ステップＳ１１−６で、候補者名ごとに疑問票のカウント数Ｚ、有効票のカウント数Ａ、対立候補票のカウント数Ｂおよび無効票のカウント数Ｃの集計数に間違いがないかどうか確認するため、集計部３０１より、集計記憶部３２４に記憶されたそれぞれのカウント数が読み込まれ、確認式「疑問票のカウント数Ｚ＝有効票のカウント数Ａ＋対立候補票のカウント数Ｂ＋無効票のカウント数Ｃ」を満たしているかどうか、確認の計算が行われる。集計部３０１によりこの確認式が満たされていないと判定される場合には（Ｓ１１−６ＮＯ）、ステップＳ１１−７で、操作表示部１３に確認式が満たされていない旨およびもう一度疑問票のカウントからやり直すことを要求する旨が表示された後、ステップＳ１１−２に戻る。
【０１１８】
また、ステップＳ１１−６で、集計部３０１によりこの確認式が満たされていると判定される場合には（Ｓ１１−６ＹＥＳ）、ステップＳ１１−８で、集計部３０１により集計記憶部３２４に記憶された候補者名ごとに仮の得票数、疑問票のカウント数Ｚ、有効票のカウント数Ａ、対立候補票のカウント数Ｂおよび無効票のカウント数Ｃが読み込まれ、計算式１「最終の得票数＝仮の得票数―疑問票のカウント数Ｚ＋有効票のカウント数Ａ＋対立候補からの対立候補票のカウント数Ｂ」あるいは計算式２「最終の得票数＝仮の得票数―無効票のカウント数Ｃ−対立候補への対立候補票のカウント数Ｂ＋対立候補からの対立候補票のカウント数Ｂ」に従って、候補者名ごとに計算されて候補者名ごとの最終の得票数が集計される。
【０１１９】
続いて、ステップＳ１１−９で、集計部３０１により候補者名ごとの最終の得票数が、集計記憶部３２４に記憶されるとともに、操作表示部３１に表示される。更に、印刷制御部３０３により候補者名ごとの最終の得票数データが集計記憶部３２４から読み込まれて印刷データに変換された後に印刷部３５に送られ、印刷部３５で候補者名ごとの最終の得票数が用紙に印刷される。
【０１２０】
なお、前述のステップＳ１１−８において集計部３０１により、集計記憶部３２４に記憶された候補者名ごとの仮の得票数、疑問票のカウント数Ｚ、有効票のカウント数Ａ、対立候補票のカウント数Ｂおよび無効票のカウント数Ｃが読み込まれて、候補者名ごとに最終の得票数が計算されて求められずに、以下のように各票のカウント数の集計時に減算あるいは加算の計算が行われて候補者名ごとの最終の得票数が求めされてもよい。なお、以下の説明では、図１１を利用して説明を行い、仮の得票数の集計は、前述のステップＳ１１−１と同様であるため、その説明を省略する。
【０１２１】
まず、前述のステップＳ１１−２において集計部３０１により集計された候補者名ごとの疑問票のカウント数Ｚが集計記憶部３２４に記憶された後に、集計部３０１にステップＳ１１−１において集計された候補者名ごとの仮の得票数およびステップＳ１１−２において集計された候補者名ごとの疑問票のカウント数Ｚが読み込まれて、候補者名ごとに仮の得票数から疑問票のカウント数Ｚが減算されて、候補者名ごとに得票数Ｚ１が求められる。
【０１２２】
続いて、ステップＳ１１−３において集計部３０１により集計された候補者名ごとの有効票のカウント数Ａが集計記憶部３２４に記憶された後に、集計部３０１により集計された候補者名ごとの有効票のカウント数Ａが、候補者名ごとに得票数Ｚ１に加算されて、候補者名ごとの得票数Ａ１が求められる。
【０１２３】
続いて、ステップＳ１１−４において集計部３０１により集計された候補者名ごとの対立候補票のカウント数Ｂが集計記憶部３２４に記憶された後に、集計部３０１により集計された候補者名ごとの対立候補票のカウント数Ｂにおける対立候補の対立候補票のカウント数Ｂが、候補者名ごとに得票数Ａ１に加算されて、候補者名ごとの得票数Ｂ１が求められる。
【０１２４】
最後に、ステップＳ１１−５において集計部３０１により集計された候補者名ごとの無効票のカウント数Ｃが集計記憶部３２４に記憶された後に、集計部３０１により集計された候補者名ごとの無効票のカウント数Ｃが、候補者名ごとに得票数Ｂ１から減算されて、候補者名ごとの最終の得票数が求められ、集計動作が完了する。なお、前述のステップ１１−６と同様に、集計部３０１により候補者名ごとに疑問票のカウント数Ｚ、有効票のカウント数Ａ、対立候補票のカウント数Ｂおよび無効票のカウント数Ｃの集計数に間違いがないかどうか確認が行われてもよい。
【０１２５】
なお、第３実施形態で説明したように、自書式電子投票システム１における自書式電子投票装置２から電子投票集計装置３に送信された手書き文字の画像データおよびそれに対応した候補者名データから、自動的に仮の得票数および疑問票のカウント数Ｚが求められた後に、疑問票と判定された手書き文字の画像データ、それに対応した候補者名データおよびその候補者名データに対応したバーコードが投票結果印刷用用紙６０に印刷された疑問票が用いられて、本実施形態で説明したように有効票のカウント数Ａ、対立候補票のカウント数Ｂおよび無効票のカウント数Ｃが集計されて、更に候補者名ごとの最終の得票数が集計されてもよい。
【０１２６】
上記で説明したように、本実施形態の自書式電子投票システム１であれば、投票結果印刷用用紙６０にバーコードが印刷される構成であるため、候補者名ごとの最終の得票数を正確に短時間で得ることができる。また、投票者により特定の候補者への意思表示を示した投票を自由に手書き入力されても候補者名ごとの最終の得票数を正確に短時間で集計することができる。
【０１２７】
なお、第１から第４の実施形態に係る自書式電子投票システム１により投票印刷用用紙６０にバーコードが印刷されるが、そのバーコードは、図５〜図７に示すように、１次元のバーコードに限定されるものではなく、２次元コードであってよい。また、コード化部３０２は、前述したように候補者名データを各候補者名専用のバーコードデータに変換する機能を有していたが、その機能の代わりに、候補者名を予め定められた規則に従って各候補者名専用の図形に変換する機能を有してもよい。そして、候補者名に対応した図形が印刷部３５により投票印刷用用紙６０に印刷されてもよい。これにより、前述と同様な効果が得られる。
【０１２８】
なお、第１から第４の実施形態に係る自書式電子投票システム１では、画像データ、その画像データに対応した候補者名およびその候補者名に対応したバーコードを用紙に記録する記録手段として印刷部３５を用い、抽出された候補者名に対応したバーコードが印刷された投票印刷用用紙６０が用いられて、候補者名ごとに最終の得票が集計される構成であったが、例えば、無線ＩＣタグ[Integrated Circuit Tag]との間でデータの読み書きを行う無線ＩＣタグ機器が自書式電子投票システム１の電子集計装置３に備えられて、無線ＩＣタグが埋め込まれた投票印刷用用紙が用いられて、その無線ＩＣタグのメモリ領域に手書き文字の画像データから抽出された候補者名に対応した候補者名データが記憶されて、前述のバーコードが利用された場合と同様に、候補者名ごとに、仮の得票数および疑問票数が集計されて最終の投票数が集計されてもよい。更に、追加して有効票数、対立候補票数および無効票数が求められて最終の投票数が集計されてもよい。これにより、候補者名に対応したバーコードが投票結果印刷用用紙６０に印刷された場合と同様に、候補者名ごとの最終の得票数を正確に短時間で得ることができる。
【０１２９】
なお、上記で説明したように、第１から第４の実施形態に係る自書式電子投票システム１の電子集計装置３において、原稿取込部３４により印刷済みの投票結果印刷用用紙６０の画像が取り込まれて生成された画像データからコード照合部３０４によりバーコードが解読される構成であるが、原稿搬送部３３から搬送された印刷済みの投票結果印刷用用紙６０から直接バーコードを読み込んで、それに対応したバーコードデータを生成して集計記憶部３２４に記憶させるバーコード読取部が備えられて、印刷済みの投票結果印刷用用紙６０に印刷されたバーコードから候補者名が抽出される際に、コード照合部３０４により、集計記憶部３２４に記憶された候補者名に対応したバーコードデータとバーコード読取部より生成されたバーコードデータが照合され、バーコード読取部により生成されたバーコードデータに一致する集計記憶部３２４に記憶されたバーコードデータに対応した候補者名が抽出されてもよい。
【０１３０】
なお、上記で説明した本実施形態の自書式電子投票システム１における各構成要素は、前述したように自書式電子投票装置２および電子集計装置３に組み込まれてバスやネットワーク等で接続されて第１から第４実施形態の自書式電子投票システム１を構成する以外にも、本発明を逸脱しない限り、それらが個別にバス、インターネットおよびＬＡＮ[Local Area Network]などの電気通信回線で接続されて、自書式電子投票システムを形成する構成とされてもよい。
【０１３１】
なお、上記で説明した本実施形態の自書式電子投票システム１は、選挙時の投票の他に、例えば、ダム等の公共施設を作るか否かを候補名で投票する住民投票に使用されてもよい。
【産業上の利用可能性】
【０１３２】
本発明は、選挙等で使用される電子投票システムの得票数の集計時におけるその高速化に有用な技術である。
【図面の簡単な説明】
【０１３３】
【図１】は、第１実施形態に係る自書式電子投票システムの要部構成を示すブロック図である。
【図２】は、自書式電子投票装置２における入力表示部２１の一例を示す図である。
【図３】は、自書式電子投票装置２の動作を説明するためのフローチャートである。
【図４】は、電子集計装置３における受信した投票結果の投票結果印刷用用紙への印刷動作の一例を示すフローチャートである。
【図５】は、手書き文字の画像とそれに対応した候補者名が一致する場合の印刷済みの投票結果印刷用用紙の一例を示す図である。
【図６】は、疑問票のうち有効票として扱われる印刷済みの投票結果印刷用用紙の一例を示す図である。
【図７】は、疑問票のうち対立候補票として扱われる印刷済みの投票結果印刷用用紙の一例を示す図である。
【図８】は、第１実施形態に係る自書式電子投票システム１の電子集計装置３における疑問票数が減算された候補者名ごとの得票数の集計動作の一例を示すフローチャートである。
【図９】は、第２実施形態に係る自書式電子投票システム１の電子集計装置３における疑問票数の減算および有効票数の加算された候補者名ごとの得票数の集計動作の一例を示すフローチャートである。
【図１０】は、第３実施形態に係る自書式電子投票システム１の電子投票装置３における疑問票が減算された候補者名ごとの得票数の集計動作の一例を示すフローチャートである。
【図１１】は、第４実施形態に係る自書式電子投票システム１の電子投票装置３における集計動作の一例を示すフローチャートである。
【図１２】は、第４実施形態に係る自書式電子投票システム１の電子集計装置３における対立候補票のカウント数Ｂの集計動作の一例を示すフローチャートである
【図１３】は、第４実施形態に係る自書式電子投票システム１の電子集計装置３における無効票のカウント数Ｃの集計動作の一例を示すフローチャートである。
【符号の説明】
【０１３４】
１    自書式電子投票システム
２    自書式電子投票装置
３    電子集計装置
２０、３０    制御部
２０１    変換部
２０２    認識部
２０３    照合部
２０４    送信部
３０１    集計部
３０２    コード化部
３０３    印刷制御部
３０４    コード照合部
３０５    受信部
２１    入力表示部
２１１    液晶ディスプレイ
２１２    案内表示欄
２１３    候補者名記入欄
２１４    投票キー
２１５    取消キー
２２、３２    メモリ部
２２１、３２１    ＲＯＭ
２２２、３２２    ＲＡＭ
２２３、３２３    候補者記憶部
２２４    投票記憶部
３２４    集計記憶部
２３、３６    インタフェース部
３１    操作表示部
３３    原稿搬送部
３４    原稿取込部
３５    印刷部
５０    ネットワーク
６０    投票結果印刷用用紙
６１、６２、６３    表記部
６４、６５    領域
６６    バーコード
【図１】
2006235974.tif 000003
【図２】
2006235974.tif 000004
【図３】
2006235974.tif 000005
【図４】
2006235974.tif 000006
【図５】
2006235974.tif 000007
【図６】
2006235974.tif 000008
【図７】
2006235974.tif 000009
【図８】
2006235974.tif 000010
【図９】
2006235974.tif 000011
【図１０】
2006235974.tif 000012
【図１１】
2006235974.tif 000013
【図１２】
2006235974.tif 000014
【図１３】
2006235974.tif 000015